(57)【要約】【課題】医療器具を保管する際の衛生管理または情報管理のための所要の電力供給をおこない得る構成により医療器具の管理及び運搬を容易にした医療器具保管装置を提供する。【解決手段】電源に接続される給電部４と、医療器具を保持する保持部３２を有し着脱自在に構成される保持容器２を備えた本体部３と、保持容器に設けられており給電部から供給される電力を蓄積する蓄電部９１と、蓄電部に接続されていると共に保持容器に設けられ医療器具に向けて所定の波長の光を照射する発光手段３５とを具備して構成する。【選択図】図１
2007050240.tif 000002
【特許請求の範囲】
【請求項１】
電源に接続される給電部と、
医療器具を保持する保持部を有し着脱自在に構成される保持容器を備えた本体部と、
前記保持容器に設けられており、前記給電部から供給される電力を蓄積する蓄電部と、
前記蓄電部に接続されていると共に、前記保持容器に設けられ前記医療器具に向けて所定の波長の光を照射する発光手段と、
を具備することを特徴とする医療器具保管装置。
【請求項２】
前記蓄電部は、前記給電部から非接触で電力の供給を受け得るように構成される受電部に設けられていることを特徴とする請求項１に記載の医療器具保管装置。
【請求項３】
前記給電部は、前記電源に接続される１次コイルであり、
前記受電部は、前記１次コイルに電磁結合される２次コイルであることを特徴とする請求項２に記載の医療器具保管装置。
【請求項４】
前記保持容器は、前記給電部に対する前記受電部の接近を検知する検知手段と、この検知手段の検知結果に応じて前記１次コイルと前記２次コイルとを電磁結合させる制御手段とを、さらに具備してなることを特徴とする請求項３に記載の医療器具保管装置。
【請求項５】
前記保持容器は、前記医療器具を洗滌消毒する洗滌消毒装置から無線送信される前記医療器具に関する履歴情報を受信する受信部を備えていることを特徴とする請求項１に記載の医療器具保管装置。
【請求項６】
前記保持容器は、前記医療器具に関する履歴情報を記憶する記憶部を備えていることを特徴とする請求項５に記載の医療器具保管装置。
【請求項７】
前記保持容器は、前記記憶部に記憶された情報を表示する表示部を備えていることを特徴とする請求項６に記載の医療器具保管装置。
【請求項８】
現在の時刻を計算し積算する時間演算手段と、
前記保持容器に保持された前記医療器具に関する履歴情報を記憶し、この履歴情報を記憶した時間と現在の時間とを比較して、再度の洗滌消毒処理が必要か否かを判断する比較手段と、
前記医療器具の洗滌消毒処理が完了しているか否か、もしくは前記比較手段の判断結果を告知する告知手段と、
をさらに具備してなることを特徴とする請求項５に記載の医療器具保管装置。
【請求項９】
前記告知手段は、聴取判断可能な発音手段からなることを特徴とする請求項８に記載の医療器具保管装置。
【請求項１０】
前記告知手段は、目視判断可能な表示手段からなることを特徴とする請求項８に記載の医療器具保管装置。
【請求項１１】
前記比較手段に記憶された情報を初期化するリセット手段を、さらに具備してなることを特徴とする請求項８に記載の医療器具保管装置。
【請求項１２】
前記告知手段による告知情報を初期化するリセット手段を、さらに具備してなることを特徴とする請求項８に記載の医療器具保管装置。
【請求項１３】
内視鏡を洗滌消毒する洗滌消毒装置から無線送信される内視鏡に関する履歴情報を受信する受信部と、
現在の時刻を計算し積算する時間演算手段と、
前記保持容器に保持された前記医療器具に関する履歴情報を記憶し、この履歴情報を記憶した時間と現在の時間とを比較して、再度の洗滌消毒処理が必要か否かを判断する比較手段と、
前記医療器具の洗滌消毒処理が完了しているか否か、もしくは前記比較手段の判断結果を告知する告知手段と、
を具備したことを特徴とする内視鏡。
【請求項１４】
前記比較手段に記憶された情報を初期化するリセット手段を、さらに具備してなることを特徴とする請求項１３に記載の内視鏡。
【発明の詳細な説明】
【技術分野】
【０００１】
本発明は、医療器具保管装置及び内視鏡、詳しくは医療器具の保管及び運搬をおこなう医療器具保管装置であって、特に電力の供給によって保管中の医療器具の衛生管理と情報管理を容易におこない得るように構成した医療器具保管装置及びこれにより保管される医療器具としての内視鏡に関するものである。
【背景技術】
【０００２】
従来より、例えば内視鏡検査等によって使用された後の使用済みの内視鏡等の各種の医療器具は、所定の手順にしたがって洗滌消毒処理が施された後、所定の環境下に保管されるようになっている。
【０００３】
具体的には、例えば検査等に使用した内視鏡等の医療器具は、まず流し台等まで運び出され、ここで外表面等が仮洗滌された後、洗滌消毒装置へと運び込まれ、当該装置によって本洗滌がおこなわれる。
【０００４】
こうして洗滌消毒処理が施された内視鏡等の医療器具は、衛生的な環境が維持されるように構成した医療器具用の保管装置の内部に収納されて、次の検査等で使用される時まで保管されることになる。この保管装置については、特に内視鏡等では専用の保管装置が利用されるのが普通である。
【０００５】
また、従来においては、内視鏡検査等の終了後に使用済みの内視鏡等の医療器具の洗滌消毒処理を施す場合、検査室等から流し台等の仮洗滌をおこなう場所までの間や、流し台等から本洗滌がおこなわれる洗滌消毒装置までの間、さらに洗滌消毒処理の後、洗滌消毒装置から保管装置までの間を運搬するのには、作業者が医療器具を手に持って運搬することになっている。またさらに、保管装置に保管中の医療器具を次の検査に使用するため、保管装置から取り出して検査室まで運搬するときにも、従来では、作業者等が医療器具を手に持って運搬している。
【０００６】
この場合、洗滌済みの医療器具を保管装置に格納するまでの間と、保管装置から医療器具を取り出して検査をおこなう場所までの間においては、特に衛生面での注意しつつ運搬する必要がある。
【０００７】
また、従来の医療器具用の保管装置では、殺菌用の紫外線を発する水銀灯等を設置したものがある。この殺菌用の水銀灯等は、紫外線を発光することで保管装置内部に収納保管されている医療器具の衛生状態を維持するようになっている。
【０００８】
このような保管装置では、殺菌用の水銀灯等を発光させるために、所定の電力が必要となるが、その電力は例えば一般的な商用電源から得るようになっているのが普通である。
【０００９】
そのために、従来の医療器具保管装置からは電源ケーブルが延出されており、その電源ケーブルのプラグが、当該保管装置を設置する部屋の壁面等に設けられるコンセントに接続されることで保管装置に対して電力が供給されるようになっている。
【００１０】
例えば、特開平１０−２６２９０２号公報によって開示されている内視鏡用の保管装置は、光源装置やプロセッサ装置等を載せるカート本体の側面に取り付けられるように構成している。この保管装置は、内部に内視鏡を吊り下げて保管し得るようになっていると共に、内部に殺菌灯を配設することで、保管装置の内部の衛生状態を良好に維持することができるようになっている。
【特許文献１】特開平１０−２６２９０２号公報
【発明の開示】
【発明が解決しようとする課題】
【００１１】
ところが、上記特開平１０−２６２９０２号公報によって開示されている従来の医療器具用の保管装置にあっては、殺菌灯を保管庫の内部に設けているので、医療器具を移動する場合には、別の容器等に入れる必要がある。この場合、衛生状態を長期間維持するためには、運搬用の別の容器等も殺菌灯を設けた保管庫とし、この保管庫ごと移動する必要がある。しかしながら、殺菌灯を設けた保管庫の場合、殺菌灯への電源を供給する必要上、電源コンセント等に接続されることが必要になるため、容易に移動させることが困難であるという問題点がある。
【００１２】
本発明は、上述した点に鑑みてなされたものであって、その目的とするところは、医療器具の衛生状態を長期間維持することができ、その衛生状態を維持した状態で医療器具の移動を容易におこなうことができ、かつ適切な衛生管理をおこない得るように構成した医療器具保管装置及びこれにより保管される医療器具としての内視鏡を提供することである。
【課題を解決するための手段】
【００１３】
本発明の医療器具保管装置は、電源に接続される給電部と、医療器具を保持する保持部を有し着脱自在に構成される保持容器を備えた本体部と、前記保持容器に設けられており、前記給電部から供給される電力を蓄積する蓄電部と、前記蓄電部に接続されていると共に、前記保持容器に設けられ前記医療器具に向けて所定の波長の光を照射する発光手段とを具備することを特徴とする。
【００１４】
本発明の内視鏡は、内視鏡を洗滌消毒する洗滌消毒装置から無線送信される内視鏡に関する履歴情報を受信する受信部と、現在の時刻を計算し積算する時間演算手段と、前記保持容器に保持された前記医療器具に関する履歴情報を記憶し、この履歴情報を記憶した時間と現在の時間とを比較して、再度の洗滌消毒処理が必要か否かを判断する比較手段と、前記医療器具の洗滌消毒処理が完了しているか否か、もしくは前記比較手段の判断結果を告知する告知手段と、を具備することを特徴とする。
【発明の効果】
【００１５】
本発明によれば、医療器具の衛生状態を長期間維持することができ、その衛生状態を維持した状態で医療器具の移動を容易におこなうことができ、かつ適切な衛生管理をおこない得るように構成した医療器具保管装置及びこれにより保管される医療器具としての内視鏡を提供することができる。
【発明を実施するための最良の形態】
【００１６】
以下、図示の実施の形態によって本発明を説明する。
【００１７】
（第１の実施形態）
図１は、本発明の第１の実施形態の医療器具保管装置（トロリーシステム）の全体構成を示す外観斜視図である。図２は、図１の医療器具保管装置（トロリーシステム）の内部構成の主に電気的な回路構成を示すブロック構成図である。図３は、図１の医療器具保管装置（トロリーシステム）の作用を説明する図である。
【００１８】
なお、本実施形態においては、図１に示すように第２の給電部１５及び第２の受電部３４は、それぞれ３台づつ設けて構成している。これら３台づつの第２の給電部１５及び第２の受電部３４の構成のそれぞれは全く同様の構成からなるものであるので、図２においては説明の便宜上から第２の給電部１５及び第２の受電部３４が各１台の構成として簡略化して図示している。
【００１９】
また、第１の給電部４及び第１の受電部１４において、非接触方式による給電の基本原理の概略は、スイッチング電源におけるインバータトランスの第１の１次コイル４２と第１の２次コイル５０とを分離し得るように構成したものである。そして、所定の電源からの出力が高周波信号に変換され、第１の１次コイル４２と第１の２次コイル５０の電磁結合によって給電がおこなわれるようになっている。
【００２０】
第２の給電部１５及び第２の受電部３４における非接触方式による給電の基本原理の概略も略同様である。
【００２１】
図１，図２に示すように、本実施形態の医療器具保管装置（以下、トロリーシステムという）１は、内視鏡や手術用処置具等の医療器具を収納し保持し得るように形成される保持容器である複数のトレイ２（図２では一つのみ図示）と、このトレイ２を着脱自在に配設し得るように構成され本トロリーシステム１の本体部となるトロリー装置３と、壁面２５（図１参照）などに設けられ電源に接続される給電部である第１の給電部４等によって主に構成されている。
【００２２】
第１の給電部４は、トロリーシステム１に対して電力の供給をおこなうべく設けられ、ユニットによって構成されているものである。そのために、第１の給電部４は、図２に示すように商用電源を整流し平滑化して直流を出力する整流平滑回路４３と、この整流平滑回路４３からの直流出力を高周波信号に変換して出力する第１の高周波インバータ４４と、この第１の高周波インバータ４４に接続されトロリー装置３の側の第１の受電部１４の第１の２次コイル５０（後述する）に電磁結合される１次コイルである第１の１次コイル４２と、同第１の受電部１４の第１のマグネット５１（後述する）の磁力を受けて当該第１の給電部４と第１の受電部１４との電磁結合が可能な状態であること（つまり第１の給電部４に対して第１の受電部１４が接近したこと）を検知する検知手段の一部を構成する第１の接続検知回路４５と、電磁結合の状態を常時監視し第１の高周波インバータ４４の出力制御をおこなう制御手段としての第１の制御回路４６等によって主に構成されている。
【００２３】
整流平滑回路４３は、壁面２５のコンセント（図示せず）から供給される商用電源であるＡＣ入力を直流に変換するものである。なお、ここで入力される電源としてはＡＣまたはＤＣのいずれの入力でも構わない。
【００２４】
第１の高周波インバータ４４は、整流平滑回路４３により平滑された直流信号を高周波信号に変換すると共に、その高周波信号の出力及び停止をおこなうようになっている。第１の１次コイル４２は、第１の高周波インバータ４４からの高周波信号を、第１の受電部１４の第１の２次コイル５０に電磁エネルギーに変換して伝達するためのものである。
【００２５】
第１の接続検知回路４５は、第１の給電部４と第１の受電部１４とが電磁結合による給電が可能か否か、つまり適正に接続されたか否かを検知するものである。第１の接続検知回路４５は、第１の受電部１４側に設けられた第１のマグネット５１が所定の距離に近づくと接続を検知する。つまり、第１の接続検知回路４５及び第１のマグネット５１が電磁的な結合状態の検知機能を有している。
【００２６】
第１の制御回路４６は、第１の接続検知回路４５の検知信号に基づいて第１の高周波インバータ４４を駆動させて、第１の１次コイル４２と第１の２次コイル５０との電磁結合を許可したり停止したりする制御をおこなっている。つまり、例えば第１の制御回路４６は、第１の給電部４と第１の受電部１４とが適正に接続されている状態を確認すると、第１の高周波インバータ４４を駆動させて、第１の１次コイル４２と第１の２次コイル５０とを電磁結合させる制御をおこなう。
【００２７】
そして、第１の給電部４は、例えば当該トロリーシステム１を使用する検査室や、医療器具等を保管する保管場所等の施設の壁面２５や床面等に、例えば恒久的に設置されている。この第１の給電部４には、トロリーシステム１に対して電力を供給するための所定の電源、例えば一般に利用される通常の商用電源に接続されている。
【００２８】
なお、第１の給電部４は、必ずしも壁面２５に対して恒久的に接続される必要はなく、移動可能な装置等、例えば別のトロリー装置等に設置してもよい。また、第１の給電部４に接続される所定の電源としては、商用電源に限ることはなく、例えば２次電池などのＤＣ電源を利用することも可能である。
【００２９】
トロリー装置３は、トレイ２に収納される医療器具を衛生的に保管する保管庫としての機能を有している。そのためにトロリー装置３は、前面に開口部１０ａを有するトロリー本体１０と、開口部１０ａに対して開閉自在に配設される扉１１と、トロリー本体１０の底部に設けられ当該トロリー装置３を移動自在とするための移動手段である４つのキャスター１２と、衛生維持手段であり除湿手段である乾燥機１３と、上記第１の給電部４との間で非接触方式による電力の供給を受け得る受電部である第１の受電部１４と、トレイ２の第２の受電部３４（後述する）との間で非接触方式による電力供給をおこなう第２の給電部１５と、ラッピング補助機構１９等によって主に構成されている。
【００３０】
トロリー装置３のトロリー本体１０の背面側の所定の位置、つまり上記第１の給電部４に対向する位置には、第１の受電部１４が外部に向けて配設されている。
【００３１】
この第１の受電部１４はユニットによって構成されている。その内部には、図２に示すように第１の給電部４の第１の１次コイル４２に電磁結合される２次コイルである第１の２次コイル５０と、この２次コイル５０からの高周波信号を受けて平滑化し安定化する第１の定電圧回路５２と、第１の定電圧回路５２からの定電圧出力を規定の電圧に変換するインバータ回路５３と、乾燥機１３などの負荷側に過電流が流れたときこれを検知して所定の制御をおこなう第１の保護回路５４と、この第１の保護回路５４の制御をおこなったりインバータ回路５３からの出力を負荷側である乾燥機１３と複数の第２の給電部１５へと出力する出力制御回路５５と、トロリー装置３を移動させたときに第１の受電部１４が第１の給電部４の近傍に接近したことを検知する検知手段の一部を構成する第１のマグネット５１と、当該第１の受電部１４の動作状態を判別する第１の動作判別回路５６等によって構成される。
【００３２】
第１の２次コイル５０は、第１の給電部４の第１の１次コイル４２から伝達された高周波信号を受けて第１の定電圧回路５２に出力するものである。
【００３３】
第１の定電圧回路５２は、第１の２次コイル５０の出力を平滑化し安定化するものである。
【００３４】
インバータ回路５３は、第１の定電圧回路５２からの定電圧出力を規定のＡＣ電圧またはＤＣ電圧に変換するものである。このインバータ回路５３の出力は、出力制御回路５５を介して第１の受電部１４の出力となっている。なお、第１の受電部１４の出力に加わる負荷はＡＣまたはＤＣいずれかが適用される。このインバータ回路５３には、第１の受電部１４の動作状態を判別する第１の動作判別回路５６が接続されている。
【００３５】
第１の動作判別回路５６には動作確認ＬＥＤ１７が接続されている。そして、当該第１の動作判別回路５６は、第１の受電部１４が正常に動作しているか否かを判別し、その判別結果に応じて動作確認ＬＥＤ１７の点灯制御をおこなうようになっている。つまり、第１の動作判別回路５６により第１の受電部１４が正常に動作していることが確認された場合には、動作確認ＬＥＤ１７を点灯させることで、その判別結果を告知する告知手段としての役目をしている。
【００３６】
第１の保護回路５４は、インバータ回路５３の出力を基に接続されている負荷の状態を監視するものである。
【００３７】
出力制御回路５５は、第１の保護回路５４の検出結果に応じてインバータ回路５３の出力を制御、つまり遮断または制限をするものである。これにより、出力制御回路５５は出力を保護する機能を有している。この出力制御回路５５には、第２の給電部１５及び乾燥機１３が電気的に接続されている。
【００３８】
そして、トロリー装置３を移動させて第１の受電部１４を上述の第１の給電部４に対向する位置に配置したとき、当該第１の受電部１４は第１の給電部４から非接触で電力の供給を受け得るようになっている。
【００３９】
つまり、トロリー装置３を第１の給電部４の近傍に移動させたとき、トロリー装置３の第１の受電部１４が第１の給電部４に対して所定の距離内に近付くと、第１の給電部４の側の第１の接続検知回路４５は、第１のマグネット５１を検知すると共に、第１の給電部４は第１の受電部１４に対して非接触方式による電力供給をおこなうようになっている。
【００４０】
一方、トロリー装置３のトロリー本体１０の内部には、図１に示すように開口部１０ａに連通する収納空間１０ｂが形成されている。この開口部１０ａは扉１１によって開閉自在となっている。この扉１１を閉状態とすることで、収納空間１０ｂを外気から遮断し得るような構造となっている。
【００４１】
この収納空間１０ｂの内部において、その底面側には除湿手段である乾燥機１３が配設されている。この乾燥機１３は、収納空間１０ｂの内部の空気を除湿することで収納空間１０ｂ内における雑菌などの繁殖を防止しするために設けられているものである。後述するように収納空間１０ｂには、医療器具を収納するトレイ２を着脱自在に保持する収納ケース１６（保持部）が設けられている。つまり、除湿手段である乾燥機１３は、収納空間１０ｂ内の除湿をおこなうことで、トレイ２に収納される医療器具の衛生状態を維持する衛生維持手段の役目をしている。
【００４２】
なお、乾燥機１３の内部電気回路（図示せず）は、第１の受電部１４に対して電気的に接続され（図１の符号１３ａ）ている。これにより、乾燥機１３は、当該第１の受電部１４を介して上記第１の給電部４から供給される電力によって駆動されるようになっている。
【００４３】
また、収納空間１０ｂの内部において、上記収納空間１０ｂの所定の空間には棚構造が形成されている。すなわち、収納空間１０ｂには、上記乾燥機１３が配設されている部位より上側の部位に、トレイ保持部となる複数の収納ケース１６（図１に示す例では三つ）が積層された形態で固設されている。各収納ケース１６は、前面側に開口を有して形成されている。この前面側の開口からトレイ２が挿入され、当該収納ケース１６に収納されるようになっている。これにより、トロリー装置３のトロリー本体１０の内部において、トレイ２が所定の位置に保持されるようになっている。つまり、トロリー本体１０の収納ケース１６は、トレイ２を保持することで医療器具を保持する保持部の役目をしている。
【００４４】
また、各収納ケース１６の内部にあって、開口に対向する面には、第２の給電部１５がそれぞれに配設されている。
【００４５】
この第２の給電部１５は、第１の給電部４及び第１の受電部１４を介して電源から供給される電力を非接触方式でトレイ２へと供給するために設けられるものであり、ユニットによって構成されている。
【００４６】
第２の給電部１５の内部には、図２に示すように第１の受電部１４の出力制御回路５５の出力を高周波信号に変換する第２の高周波インバータ５７と、この第２の高周波インバータ５７に接続されトレイ２の第２の２次コイル６１に電磁結合される第２の１次コイル５８と、第２の給電部１５と第２の受電部３４との電磁結合の状態を検知する検知手段の一部である第２の接続検知回路５９と、電磁結合の状態を常時監視し第２の高周波インバータ５７の出力制御をおこなう第２の制御回路６０等によって主に構成されている。
【００４７】
第２の高周波インバータ５７は、第１の受電部１４の出力制御回路５５に接続されており、この出力制御回路５５の出力を受けて、これを高周波信号に変換するために設けられているものである。
【００４８】
第２の１次コイル５８は、第２の高周波インバータ５７に接続されている。そして、トレイ２の第２の２次コイル６１に電磁結合することによって、第１の給電部４及び第１の受電部１４を介して電源から供給される電力をトロリー装置３の側からトレイ２へと非接触方式で供給する電力伝達経路を形成している。
【００４９】
第２の接続検知回路５９は、第２の給電部１５に対してトレイ２（の第２の受電部３４）が接近したか否かを、トレイ２の第２の受電部３４の第２のマグネット６２の磁力を検知して、トロリー装置３の第２の給電部１５とトレイ２の第２の受電部３４との電磁結合が可能な状態であるか否か、または第２の給電部１５と第２の受電部３４との接続状態を検知する検知手段を構成している。
【００５０】
第２の制御回路６０は、第１の制御回路４６と同様に第２の接続検知回路５９の検知状態に応じて第２の高周波インバータ５７を駆動させるか否かを判断し制御をおこなっている。
【００５１】
つまり、第２の制御回路６０は、第２の接続検知回路５９による検知結果に応じて第２の１次コイル５８と第２の２次コイル６１とを電磁結合させて第２の高周波インバータ５７の出力を許可したり停止したりする制御をおこなう。
【００５２】
そして、各トレイ２に対応させて設けられる各収納ケース１６のそれぞれに設けられる第２の給電部１５のそれぞれは、上述の第１の受電部１４に対して電気的に接続されている（図１の符号１４ａ）。
【００５３】
各収納ケース１６の前面側にあって、開口の周縁部近傍の所定の部位には、動作確認用の発光ダイオード（以下、ＬＥＤという）１７がそれぞれに配設されている。この動作確認ＬＥＤ１７は、上述の第１の受電部１４に対して電気的に接続されている（図１の符号１７ａ参照）。
【００５４】
トロリー装置３のトロリー本体１０の上面側には、図１に示すようにトレイ載置部１８が形成されている。このトレイ載置部１８には、ラッピング収納部材２０と規制部材２１とからなるラッピング補助機構１９が配設されている。
【００５５】
このラッピング補助機構１９を構成するラッピング収納部材２０及び規制部材２１は、略角柱形状の壁部を有して形成されている。当該壁部は、トレイ載置部１８に載置されたトレイ２が幅方向に動くのを規制する規制手段として機能するようになっている。
【００５６】
ラッピング収納部材２０と規制部材２１とは、トロリー本体１０の前面側から背面側に向けて略平行となるように配置されている。また、ラッピング収納部材２０と規制部材２１との間隔はトレイ２の幅寸法と略同等となるように、もしくはトレイ２の幅寸法よりも若干長くなる間隔で配置されている。
【００５７】
ラッピング収納部材２０の内部には、ラッピング部材であるロール状のラッピングペーパー２２が収納されている。このラッピングペーパー２２としては、例えば吸水シートまたは埃防止シートなどが適用される。そして、ラッピング収納部材２０の上面側にはラッピングペーパー２２をシート状に引き出し得るように形成されるラッピング開口部２０ａが形成されている。
【００５８】
一方、規制部材２１には、ラッピングペーパー２２をシート状にカットするための刃等（図示せず）が配設されている。
【００５９】
トロリー装置３のトロリー本体１０の底面部には、上述したように４つのキャスター１２が設けられている。このキャスター１２は、トロリー装置３を床面上において移動自在とするための移動手段として機能するものである。
【００６０】
トレイ２は、医療器具を保管するためにトロリー装置３の内部に配置されて使用されるものであると共に、トロリー装置３から取り外した状態で医療器具を運搬する際にも使用されるように構成されている。
【００６１】
そのために、トレイ２は、例えば一面に開口部３２ａを有する略直方体からなるケース本体３１と、このケース本体３１によって形成される収納部３２と、所定の情報等を表示する表示部３３と、上記第２の給電部１５との間で非接触方式による電力供給を受ける第２の受電部３４と、発光手段としての殺菌灯３５等によって主に構成されている。
【００６２】
ケース本体３１には、上面側に開口部３２ａを有する収納部３２が形成されている。この収納部３２には、所定の医療器具、例えば内視鏡８等を収納し得るようになっている。
【００６３】
また、収納部３２の内壁面には、当該トロリー装置３の内部やトレイ２の内部における雑菌などの繁殖を防止してトレイ２に収納される医療器具の衛生状態を維持する衛生維持手段である殺菌手段としての殺菌灯３５が複数設けられている。この殺菌灯３５は、例えば紫外線を発するＵＶ光源である水銀灯やＵＶ−ＬＥＤ等が適用される。
【００６４】
本実施形態では、図１に示すようにトレイ２の収納部３２の内壁面上において、複数の殺菌灯３５を所定の間隔を置いて配置している。この場合における殺菌灯３５の配置や個数については、図示の例に限定されるものではない。
【００６５】
一方、ケース本体３１の外部および収納部３２の表面には、例えば塗布等によって光触媒材を設けた光触媒部３７が配設されている。ここで、前記光触媒材としては、代表的なものに酸化チタンがあるが、これと同等の機能および性能を有する材料であれば酸化チタンに限定されない。一般に、光触媒材は、紫外線などを吸収し、それ自身は変化せずに他の物質に対して化学反応を促進させ、防汚，空気浄化，抗菌，防かび等の環境浄化機能を発揮するものである。
【００６６】
換言すれば、この光触媒部３７は、殺菌灯３５からの紫外線を受けることによって抗菌，防汚等の作用が有効に働くようになっている。したがって、これによりＵＶ光源から発する紫外線は雑菌などの繁殖から防御する殺菌効果も有している。
【００６７】
殺菌灯３５は、収納部３２に収納される医療器具及び光触媒部３７に向けて光を照射するようになっている。この殺菌灯３５には、例えば紫外線を発するＵＶ光源である水銀灯やＵＶ−ＬＥＤ等が適用される。また、上述のように殺菌灯３５の照射光は、光触媒部３７に対しても照射されることになる。したがって、光触媒部３７が殺菌灯３５の照射光を受けることで光触媒材の機能が発揮される。
【００６８】
また、トレイ２のケース本体３１の背面側の所定の位置には、第２の受電部３４が外部に向けて配設されている。この第２の受電部３４は、トレイ２をトロリー装置３の収納ケース１６に装着したとき、上記第２の給電部１５に対向する位置に配置されている。これにより、トレイ２を収納ケース１６内に装着する動作によって、第２の受電部３４が第２の給電部１５に対して所定の距離内に近付いたとき、第２の受電部３４には、第２の給電部１５から非接触方式による電力供給がおこなわれるようになっている。
【００６９】
第２の受電部３４はユニットによって構成されている。その内部には、図２に示すように第２の２次コイル６１と、検知手段の一部を構成する第２のマグネット６２と、平滑回路６３と、第２の定電圧回路６４と、ＬＥＤ駆動回路６５と、第２の保護回路６６と、受信手段としての受信コイル６７及びデータ受信回路６８と、データ復調回路６９と、例えばフラッシュメモリ等を搭載した記憶手段としてのメモリ回路７１と、情報管理のための制御をおこなう情報用制御手段としてのデータ用制御回路７０と、充電可能に構成される蓄電部である２次電池１０１と、第２の受電部３４の動作状態を判別する第２の動作判別回路１０３等を備えている。
【００７０】
第２の２次コイル６１は、第２の給電部１５の第２の１次コイル５８から電磁結合により伝達された高周波信号を受けて平滑回路６３に出力するものである。
【００７１】
平滑回路６３は、第２の２次コイル６１の出力を平滑化するものである。
【００７２】
第２の定電圧回路６４は、平滑回路６３の出力を安定化するものである。この第２の定電圧回路６４は、その出力側にＬＥＤ駆動回路６５及び第２の保護回路６６などが接続されている。
【００７３】
第２の保護回路６６は、第２の定電圧回路６４の出力を基に接続されている負荷の状態を監視するものである。これにより、第２の保護回路６６は過負荷が加わった場合に回路を保護する機能を有している。
【００７４】
ＬＥＤ駆動回路６５は、第２の定電圧回路６４の出力を受けて、複数の殺菌灯３５を点灯させるようになっている。
【００７５】
なお、ＬＥＤ駆動回路６５及び殺菌灯３５は、図１，図２に示す例の如くトレイ２の内部に設けてもよいし、トロリー装置３の収納ケース１６の内部に設けてもよい。
【００７６】
２次電池１０１は、第２の給電部１５から第２の受電部３４を介して供給される電力を、当該第２の受電部３４に内蔵された充電回路（特に図示せず）により蓄積し充電可能に構成される蓄電部である。この２次電池１０１は、第２の受電部３４の平滑回路６３に接続されている。
【００７７】
したがって、第２の受電部３４に適正な電力が給電されている場合には、平滑回路６３は、上述したように第２の２次コイル６１の出力を平滑化する作用をおこなう。これに対して、トレイ２がトロリー装置３の収納ケース１６から取り外される等によって第２の給電部１５と第２の受電部３４との接続が遮断されると、第２の動作判別回路１０３が出力の停止を検知して、平滑回路６３の出力を２次電池１０１に切り換える制御がなされる。したがって、第２の動作判別回路１０３は出力切替手段としての役目もしている。
【００７８】
また、トレイ２にも動作確認ＬＥＤ１７が設けられている（図２参照）。このトレイ２の動作確認ＬＥＤ１７は、トレイ２に適正な電力が給電されている場合に、第２の動作判別回路１０３によって点灯制御されるようになっている。
【００７９】
一方、上述したようにトレイ２は、別体の洗滌消毒装置８０（図２参照）の内部に設置されることで、医療器具の洗滌消毒用トレイとして使用することもできる。この場合において、洗滌消毒装置８０には、第２の給電部１５に相当する給電部と送信コイル及びデータ送信回路（特に図示せず）とを有して構成されている。これにより、洗滌消毒装置８０の給電部からトレイ２の第２の受電部３４へと電磁結合による非接触の給電が可能となっている。そして、洗滌消毒装置８０の内部に設置されたトレイ２に対して電力が供給されるようになっている。
【００８０】
このとき、トレイ２のデータ受信回路６８は、受信コイル６７と洗滌消毒装置８０側の送信コイル（図示せず）を介して同洗滌消毒装置８０のデータ送信回路（図示せず）との間でデータ通信をおこなうようになっている。ここで、例えばトレイ２を用いて内視鏡８を洗滌消毒装置８０にて洗滌消毒した場合には、データ受信回路６８は内視鏡８の履歴情報を受信することになる。つまり、受診コイル６７は、洗滌消毒装置８０から無線送信される医療器具に関する履歴情報を受信する受信部としての役目をしている。
【００８１】
データ復調回路６９は、データ用制御回路７０の制御に基づきデータ受信回路６８からの履歴情報を復調する。
【００８２】
データ用制御回路７０は、復調された履歴情報のメモリ回路７１への書き込み及び読み出しをおこなうようになっている。なお、メモリ回路７１に搭載されたフラッシュメモリは、第２の受電部３４からの電力供給が絶たれたとしても書き込まれた情報を保持するようになっている。これにより、メモリ回路７１は、医療器具に関する履歴情報を記憶する記憶部としての役目をしている。
【００８３】
表示部３３は、データ用制御回路７０の制御に基づいて履歴情報を表示する。これにより、表示部３３は、メモリ回路７１（記憶部）に記憶された情報（履歴情報）を表示する表示部としての役目をしている。表示部３３によって表示され得る履歴情報としては、例えば正常に処理がなされたか否かの処理結果情報や処理の日時及び処理対象となった医療器具のＩＤ情報等である。
【００８４】
このように、トレイ２は洗滌消毒装置８０との間で無線によるデータ通信をおこなうことで、洗滌消毒結果などの履歴情報を取得することができ、これを表示部３３を用いて表示し得るようになっている。
【００８５】
この表示部３３は、例えばトレイ２の前面壁部において、その表示面が前面側に向くように配設されている。そして、トロリー装置３の収納ケース１６にトレイ２を装着した状態において、表示部３３の表示面を確認し得るように、表示部３３が露出した状態になるように形成されている。
【００８６】
ここで、トレイ２の前面壁には、上部から前面側に向けて傾斜部２ａが形成されている。この傾斜部２ａの傾斜面に沿うように表示部３３の表示面が配設されている。これにより、トロリー装置３の収納ケース１６にトレイ２を装着した状態において、表示部３３の表示面が正面側から確認することができるようになっている。
【００８７】
このように構成される本実施形態のトロリーシステム１において、医療器具として内視鏡８を使用する場合の作用を図１〜図３を参照しながら以下に説明する。
【００８８】
まず、図１の実線で示すように第１の給電部４とトロリー装置３とは所定の距離以上離れた状態になっているものとする。また、図３に示すようにトロリー装置３の内部には、内視鏡８を収めたトレイ２が収納ケース１６に装着されているものとする。これと共に、少なくとも１つの収納ケース１６は、トレイ２が未装着であるものとする。なお、図３においては、トロリー装置３の収納ケース１６は２つのみを示しており、他は図示を省略している。
【００８９】
第１の給電部４は、常に壁面２５のコンセントを介して商用電源に接続されている。そして、第１の給電部４の第１の接続検知回路４５は、第１の受電部１４の第１のマグネット５１と所定の距離以上離れており磁力を検知しない。そのため、第１の制御回路４６は、第１の接続検知回路４５の検知信号を受けて第１の高周波インバータ４４の出力を停止させている。したがって、整流平滑回路４３が商用電源を整流し平滑化した直流出力は、第１の高周波インバータ４４からは出力されない。つまり、第１の高周波インバータ４４以外は動作し、自動的にスタンバイ状態になっている。そのため、第１の１次コイル４２からの出力は無い状態となっている。
【００９０】
トロリー装置３の第１の受電部１４は、その第１の２次コイル５０が第１の受電部１４の第１の１次コイル４２との電磁的な結合が遮断されている。そのため、トロリー装置３の第１の受電部１４とトレイ２の第２の受電部３４には電力が供給されず、乾燥機１３は停止し殺菌灯３５も消灯している。また、動作確認ＬＥＤ１７も消灯しているので、使用者はトロリー装置３の扉１１を開ければ、トロリー装置３に電力が供給されていないことを知ることができる。
【００９１】
保管庫であるトロリー装置３は、扉１１を閉めた状態において、収納空間１０ｂ内及びトレイ２に収まった内視鏡８を埃などから防御し衛生的に保管する。
【００９２】
次に、キャスター１２によってトロリー装置３を移動させて、図１の２点鎖線及び図２に示すようにトロリー装置３の背面を第１の給電部４に近付ける。すると、トロリー装置３の第１の受電部１４は第１の給電部４に対して所定の距離まで近付いて、第１の接続検知回路４５は、第１のマグネット５１の磁力の作用を受ける。これにより、第１の接続検知回路４５は、第１の受電部１４と第１の給電部４との電磁結合が可能な状態であることを検知する。
【００９３】
第１の制御回路４６は、第１の接続検知回路４５からの検知信号を受けて第１の高周波インバータ４４の出力を許可する。第１の高周波インバータ４４は、整流平滑回路４３からの直流出力を高周波信号に変換して第１の１次コイル４２へ供給する。なお、第１の制御回路４６は、電磁結合の状態を常時監視しており、適正な接続状態にある限り、第１の高周波インバータ４４の出力を許可する。
【００９４】
第１の１次コイル４２から第１の受電部１４の第１の２次コイル５０へと高周波信号が伝達されて非接触方式による給電がなされる。その電力を受けて第１の受電部１４の内部の各回路が動作する。
【００９５】
さらに、第１の受電部１４において、第１の２次コイル５０からの高周波信号は、第１の定電圧回路５２に供給される。第１の定電圧回路５２は、高周波信号を平滑化し安定化する。インバータ回路５３は、第１の定電圧回路５２からの定電圧出力を規定の電圧に変換する。出力制御回路５５は、インバータ回路５３からの出力を負荷側である乾燥機１３と複数の第２の給電部１５へ出力する。
【００９６】
これにより、乾燥機１３が動作すると、トロリー装置３の収納空間１０ｂ内は除湿されて、雑菌などの繁殖が抑制される。そして、トレイ２に収納されている内視鏡８などの衛生状態が維持される。
【００９７】
また、インバータ回路５３に接続された第１の動作判別回路５６も動作する。この動作によって収納ケース１６側に設けられる動作確認ＬＥＤ１７が点灯する。使用者は、動作確認ＬＥＤ１７の点灯を視認によって確認することで、トロリー装置３に適正な電力が給電されていることを識別することができる。
【００９８】
一方、トロリー装置３を移動させて壁面２５の第１の給電部４から所定の距離以上切り離す。すると、このとき第１のマグネット５１の磁力が無くなって、第１の給電部４の第１の接続検知回路４５は、電磁結合が遮断された状態を検知する。そして、第１の制御回路４６は、第１の接続検知回路４５の検知信号を受けて、第１の高周波インバータ４４の出力を停止させる。つまり、トロリー装置３が切り離された場合、壁面２５の第１の給電部４は、電力供給を停止する。以上のように、本トロリーシステム１は、第１の給電部４が自動的にスタンバイ状態となるため常に安全に使用することができる。
【００９９】
次に、第１の受電部１４の動作状態において、乾燥機１３などが例えば破損する等によって負荷側に過電流が流れると、第１の保護回路５４が動作して出力制御回路５５の出力を制御することになる。このため、出力制御回路５５は出力を遮断し、乾燥機１３，殺菌灯３５，表示部３３は停止状態となる。そして、出力の遮断によって第１の受電部１４内に過電流が流れることが防止され、よって回路の破損等を防ぐことができるようになる。
【０１００】
続いて、本実施形態のトロリーシステム１において、内視鏡８の洗滌消毒及び内視鏡検査に関する作用について以下に説明する。
【０１０１】
第１の給電部４が壁面２５に設けられた場所、つまりトロリー装置３の保管場所と、洗滌消毒装置８０の設置場所とが異なるものとする。また、内視鏡検査のための検査室は、保管場所及び設置場所とは異なるものとする。
【０１０２】
まず、洗滌消毒装置８０の設置場所において、内視鏡８の洗滌消毒が終了すると、洗滌消毒装置８０と、これに装着されたトレイ２との間においてデータ通信がなされる。その際、トレイ２の第２の受電部３４には、洗滌消毒装置８０の給電部から電磁結合による非接触の給電が行われている。
【０１０３】
洗滌消毒装置８０のデータ送信回路は、送信コイル及び受信コイル６７を介してトレイ２のデータ受信回路６８へと履歴情報を送信する。トレイ２のデータ復調回路６９は、データ用制御回路７０の制御に基づいてデータ受信回路６８からの履歴情報を復調する。そして、データ用制御回路７０は、復調された履歴情報をメモリ回路７１へ書き込む。
【０１０４】
次に、図３に示す符号Ａにおいて、内視鏡８が収納されたトレイ２を洗滌消毒装置８０から取り出す。取り出したトレイ２は、清浄な内視鏡８を収納した状態でトロリー装置３の保管場所まで運搬される。
【０１０５】
続いて、トロリー装置３のトレイ載置部１８にトレイ２をセットする。このとき、トレイ２は、ラッピング収納部材２０及び規制部材２１によって動きが規制されるので、横ズレによる脱落が防止されている。
【０１０６】
そして、ラッピング収納部材２０のラッピング開口部２０ａからロール状のラッピングペーパー２２を引き出して、トレイ２の開口部３２ａを覆うように包装する。これにより、トレイ２の収納部３２の内部は、塵埃などが入り込まないように防護される。
【０１０７】
なお、これらの作業は必要に応じてトロリー装置３を移動して洗滌消毒装置８０の側に配置し、その場においておこなうようにしてもよい。
【０１０８】
次に、トロリー装置３の保管場所において、トロリー装置３の第１の受電部１４と壁面２５の第１の給電部４とを接続する。これにより、第１の受電部１４に対して電力が供給される。この電力を受けて動作確認ＬＥＤ１７が点灯する。したがって、このとき使用者はトロリー装置３の扉１１を開けて動作確認ＬＥＤ１７の点灯状態を確認すれば、電力が適正に供給されていることを確認できる。
【０１０９】
また、このとき乾燥機１３が動作しているので、トロリー装置３の収納空間１０ｂの内部は除湿され、雑菌などの繁殖が抑制される環境となっている。
【０１１０】
そして、使用者は、ラッピングを施したトレイ２を収納ケース１６の空いている部位に装着する。次いで、扉１１を閉状態とすることで、トロリー装置３の収納空間１０ｂは密閉状態となる。したがって、ラップに覆われたトレイ２に収納されている洗滌消毒済みの内視鏡８は衛生的に保管される状態にある。
【０１１１】
トレイ２が収納ケース１６に装着されると、トロリー装置３の第２の受電部３４が、トロリー装置３の第２の給電部１５と所定の距離を有して対向する。このとき、第２のマグネット６２の磁力が働いて第２の接続検知回路５９が電磁結合による給電が可能な状態を検知し、所定の検知信号を出力する。この検知信号を受けて第２の制御回路６０は、第２の高周波インバータ５７の出力を許可する。第２の高周波インバータ５７は、出力制御回路５５の出力を高周波信号に変換する。なお、第２の制御回路６０は、電磁結合の状態を常時監視しており、適正な接続状態にある限り、第２の高周波インバータ５７の出力を許可している。
【０１１２】
そして、高周波信号を受けた第２の１次コイル５８と第２の２次コイル６１との電磁結合によって、第２の給電部１５から第２の受電部３４に対して非接触による電力が給電される。第２の２次コイル６１に発生した電力は、平滑回路６３及び第２の定電圧回路６４を介して負荷側であるＬＥＤ駆動回路６５及び表示部３３などに供給される。また、このとき、２次電池１０１に対しては、第２の受電部３４の充電回路（特に図示せず）を介して電力が供給される。これにより２次電池１０１は充電される。
【０１１３】
ＬＥＤ駆動回路６５は、電力供給を受けてトレイ２に設置された複数の殺菌灯３５を点灯させる。そして、光触媒兼殺菌用の紫外線光がトレイ２の光触媒部３７に照射され、光触媒材による抗菌および防汚作用などが光触媒部３７に働く。この働きにより光触媒部３７が形成されたトレイ２の外部および収納部３２の内面は、汚れ難く衛生的に保持される。さらに、殺菌灯３５の紫外線によって細菌類の成長および増殖等が防止される。このため、トレイ２および内視鏡８は衛生状態が維持された状態で保管される。
【０１１４】
また、第２の給電部１５において、第２の２次コイル６１を介して供給された電力は、表示部３３及びデータ用制御回路７０などに供給される。電力供給を受けて起動したデータ用制御回路７０は、メモリ回路７１に格納された前回の洗滌消毒結果などの履歴情報を読み出す。そして、表示部３３は、データ用制御回路７０がメモリ回路７１から読み出した履歴情報を表示する。使用者は、表示部３３に表示された履歴情報を視認することにより、トレイ２に収納されている内視鏡８の履歴情報、すなわち処理結果や処理の日時及び内視鏡の種類などを確認することができる。なお、図１に示す例では、洗滌消毒処理の終了年月日と処理の終了時間とが表示されている。
【０１１５】
ここで、第２の受電部３４の動作状態において、殺菌灯３５などが、例えば破損したり負荷側に過電流が流れると、第２の保護回路６６はそれを検知して、第２の定電圧回路６４の出力を遮断する。そして、この出力の遮断により、第２の受電部３４内に過電流が流れることが防止される。これにより回路の破損などを防ぐことができる。また、殺菌灯３５が消灯し、表示部３３も表示を停止する。
【０１１６】
次に、図３に示す符号Ｂにおいて、内視鏡検査または手術などをおこなう際には、使用者は、トレイ２の表示部３３に表示された内視鏡８のＩＤ情報や洗滌消毒結果及び洗滌消毒日時などを確認する。そして、トロリー装置３内に保管されている複数の内視鏡等の医療器具のうち所望の内視鏡や医療器具を選択することができる。
【０１１７】
使用者は、これから実行すべき検査などに応じて、トロリー装置３から洗滌消毒済みの内視鏡８が収納されたトレイ２を取り出す。トレイ２が取り外されると、第２の給電部１５と第２の受電部３４の接続が所定の距離以上に離間して、両者は遮断状態となる。すると、第２のマグネット６２の磁力が作用しなくなり、その旨を第２の接続検知回路５９が検知する。第２の制御回路６０は、第２の接続検知回路５９の検知信号を受けて第２の高周波インバータ５７からの出力を停止させる。
【０１１８】
すると、第２の動作判別回路１０３は、第２の高周波インバータ５７からの出力の停止を検知して、平滑回路６３の出力を２次電池１０１に切り換える制御をおこなう。
【０１１９】
これにより、２次電池１０１からの電力は、平滑回路６３及び第２の定電圧回路６４を介してＬＥＤ駆動回路６５へと供給される。そして、ＬＥＤ駆動回路６５が殺菌灯３５を持続的に点灯させる。また、同時に同２次電池１０１からの電力は、第２の動作判別回路１０３を介して動作確認ＬＥＤ１７へも供給され、これを点灯させる。さらに、第２の２次電池１０１からの電力は、表示部３３及びデータ用制御回路７０などにも供給される。そして、表示部３３は医療器具の履歴情報を表示し続けることになる。
【０１２０】
そして、内視鏡８が収まったトレイ２は、ラップされた状態のまま検査室等へと運搬される。このときにも常にトレイ２の各部には２次電池１０１からの電力が供給され続けている状態にある。
【０１２１】
そして、図３に示す符号Ｃにおいて、所定の検査などが終了した後においては、使用済みの内視鏡８がトレイ２に収納されて、そのままトレイ２ごと洗滌消毒装置８０の設置場所へと運搬される。
【０１２２】
使用者は使用済みの内視鏡８を収納したトレイ２を洗滌消毒装置８０の洗滌槽内に装着する。そして、洗滌消毒装置８０によって一連の洗滌消毒工程がおこなわれる。この洗滌消毒工程において、トレイ２の外表面に形成される光触媒部３７が有する親水性の高さにより、使用される水によってトレイ２の外表面の汚れはよく落ちる。したがって、光触媒部３７を設けないトレイよりも、本実施形態におけるトレイ２は、洗浄性の向上を実現している。
【０１２３】
洗滌消毒処理が終了すると、図３に示す符号Ａにおいて、洗滌消毒装置８０からトレイ２が取り出されて上述したのと同様にラッピング処理をおこなう。このときにも、トレイ２の２次電池１０１は電力の供給を継続しておこなっている。したがって、洗滌消毒処理によって清浄化された内視鏡８を収納したトレイ２内の清浄状態は維持されている。
【０１２４】
その後、使用者は、同トレイ２をトロリー装置３の収納ケース１６に装着する。これにより、洗滌消毒処理済みの内視鏡８はトロリー装置３によって衛生的に保管される。
【０１２５】
以上説明したように上記第１の実施形態によれば、トロリー装置３をキャスター１２によって移動自在とし、所定電源に接続された第１の給電部４とトロリー装置３の第１の受電部１４とを近付けて対向させる。すると、第１の給電部４から電磁結合により第１の受電部１４へと非接触の電力が伝達され、トロリー装置３は所要の電力供給を受ける。この場合において、電力の供給先としては、具体的には第１の受電部１４の各回路や乾燥機１３やトレイ２などである。
【０１２６】
そして、除湿手段である乾燥機１３は、電力の供給を受けてトロリー装置３の収納空間１０ｂの内部の除湿をおこなって、保管されている状態の医療器具の衛生状態を保持することができる。
【０１２７】
さらに、トロリー装置３は、トロリー本体１０の内部に医療器具を保管すると共に、第１の受電部１４と第１の給電部４との間を容易に切り離すことができるので、キャスター１２によって移動自在に構成されている。したがって、トロリー装置３の移動は、医療器具等をトロリー装置３に保管した状態でおこなうことができる。つまりトロリー装置３から医療器具等を取り出すことなく医療器具等の運搬をおこなうことができる。また、トロリー装置３は電源コード等を不要とするために、電源コードを有する従来の装置のように、移動させる都度電源コードを挿抜する作業が必要無くなる。これにより、装置を移動させるのも容易になる。
【０１２８】
さらに、トロリー装置３のトロリー本体１０に設けられる収納ケース１６に対してトレイ２を装着すると、第１の給電部４からの電力を受けている第２の給電部１５に対して第２の受電部３４が近付いて対向する。これにより、第２の給電部１５から第２の受電部３４へと電力が非接触によって伝達され、トレイ２は所要の電力供給を受ける。その電力は、トレイ２の殺菌手段であるＵＶ−ＬＥＤ等の殺菌灯３５へも供給され、当該殺菌灯３５が点灯して紫外線を発することになる。この紫外線によってトレイ２の収納部３２に収納されている医療器具等の殺菌がおこなわれ、例えば次の使用時まで医療器具等を衛生的な環境下で保管することができる。
【０１２９】
また、第２の受電部３４を備えたトレイ２は、トロリー装置３の第２の給電部１５との間を切り離し得るようにしたので、トロリー装置３のトロリー本体１０に対して着脱自在に構成されている。したがって、トレイ２は、収納した医療器具等をトロリー装置３によって保管することができ、例えば検査などの必要に応じてトロリー装置３からトレイ２を取り出すのみで検査室など所望の場所への運搬時にも、当該医療器具を衛生的かつ容易に運搬できる。
【０１３０】
さらに、使用済みの医療器具をトレイ２の収納部３２に収納した状態で運搬できるため、液だれしたり手を汚すようなことがない。このため、洗滌消毒装置８０を操作するのに際しても、装置自体を汚してしまうことがなくなり衛生的である。
【０１３１】
また、洗滌消毒後、洗浄済みの医療器具を収納したトレイ２をトロリー装置３に戻すのみで、再びトレイ２の殺菌灯３５などへの電力が供給されることになるので、医療器具を衛生的に保管できる。
【０１３２】
このように、本実施形態のトロリーシステム１は、トレイ２による医療器具の運搬と、トロリー装置３及びトレイ２を用いた医療器具の保管とを衛生的に実施することができる。さらに、洗滌消毒処理や検査等の使用形態に合わせて効率的な医療器具の運用及び管理をおこなうことが容易にできる。
【０１３３】
また、トレイ２の第２の給電部１５は、非接触方式のため電気接点を不要とし、かつ電源ケーブルを延出する必要がなく、防水構造にすることが容易である。したがって、トレイ２の単品を丸ごと洗滌消毒できるという簡便な取扱いを使用者に提供できる。
【０１３４】
また、防水構造を備えたトレイ２を洗滌消毒装置８０にセットしておこなう医療器具の洗滌消毒処理において、例えば洗滌消毒が完了した後、洗滌消毒装置８０から医療器具の履歴情報が無線送信される。すると、トレイ２のデータ受信回路６８が受信コイル６７などを介して履歴情報を受信し、データ用制御回路７０がその履歴情報をメモリ回路７１に書き込む。そして、メモリ回路７１に書き込まれた履歴情報は表示部３３に表示されるため、使用者は、次に医療器具を使用する際などに、医療器具の種類および洗滌消毒結果などを知ることができ管理が容易になる。
【０１３５】
また、第１の動作判別回路５６が第１の給電部４からの電力が適正に供給されていると判別すると、動作確認ＬＥＤ１７が点灯し、適正に供給されていることを告知する。それに対して、適正に供給されていない場合または遮断状態の場合には、動作確認ＬＥＤ１７は、消灯している。そのため、使用者は、第１の給電部４が、電力停止により例えば光触媒材などの機能も停止していることを確認でき、それに対応した処置、例えば破損または接続の不具合などの確認をおこなうことができるので、機器の保守管理が容易となる。
【０１３６】
また、トロリー装置３の複数の収納ケース１６には、それぞれトレイ２を装着して複数の医療器具を同時に保管できる。そして、複数のトレイ２に保管された各医療器具は、それぞれのトレイ２によって別の場所に運搬することができ、各所定の作業を個々におこなうことができるので、効率的に医療器具の運用を実施できる。
【０１３７】
さらに、電力供給が可能な状態にあることを接続検知回路５９が検知することで、その検知信号を受けた制御回路６０の制御によって給電部からの出力がなされ、受電部に非接触の電力供給が行なわれるようにしている。
【０１３８】
これに対して、接続検知回路５９が遮断状態にあることを検知すると、制御回路６０は給電部からの出力を停止させる制御をおこなうようにしている。この制御によって、受電部が存在しない状態において不用意に給電動作がおこなわれるようなことがない。
【０１３９】
さらに、トレイ２をトロリー装置３の上面部に載置して、ラッピング収納部材２０のラッピング開口部２０ａからラッピングペーパー２２を取り出し、このラッピングペーパー２２によってトレイ２の開口部３２ａを覆うことができるようにしている。このラッピング処理によって、トレイ２の開口部３２ａからの雑菌及び塵埃等の混入を防止することができる。そして、トレイ２による医療器具の運搬中及び保管中において、医療器具の衛生状態を良好に保つことができる。
【０１４０】
また、第２の受電部３４が外部からの出力を受けていなくとも、第２の動作判別回路１０３が２次電池１０１の出力に切り換える制御をおこなう。これによってトレイ２に対して所要の電力を常に供給することができる。したがって、例えばトレイ２をトロリー装置３から取り外しての運搬中においても、トレイ２の殺菌灯３５や表示部３３への電力を確保できるため、光触媒材による抗菌および防汚などの機能が働いて、殺菌状態も常に維持でき、さらに履歴情報をも常に確認できる。
【０１４１】
運搬中の医療器具に関する履歴情報を、表示部３３に常に表示させることができるので、医療器具の種類や洗滌消毒の完了日時などの履歴情報をいつでも確認することができる。したがって、トロリー装置３から取り外された状態の複数のトレイ２が、例えば検査室内等に同時に存在する場合にも、各トレイ２の内部に収納された医療器具の管理を容易におこなうことができる。
【０１４２】
また、２次電池１０３によって、動作確認ＬＥＤ１７を点灯状態とすることができるので、使用者はトロリー装置３から取り外された状態のトレイ２に対して適正に電力が供給されているか否かを確認することができる。
【０１４３】
次に、本発明の第１の実施形態のトロリーシステムの変形例について説明する。
【０１４４】
図４は、上述の第１の実施形態のトロリーシステムの変形例を示すブロック構成図である。
【０１４５】
本変形例の基本的な構成は、上述の第１の実施形態と略同様である。したがって、上述の第１の実施形態と同様の構成については同じ符号を付してその説明を省略し、異なる構成についてのみ以下に説明する。
【０１４６】
本変形例のトロリーシステム１Ａにおいては、上述の第１の実施形態の構成に加えて、トロリー装置３の第１の受電部１４の内部に充電可能な蓄電部である第１の２次電池９１を設けて構成している点が異なる。なお、上述の第１の実施形態において、トレイ２の第２の受電部３４に設けられる蓄電池である２次電池１０１については、本変形例では第２の２次電池１０１として扱っている。この第２の２次電池１０１の構成及び作用は、上述の第１の実施形態における２次電池１０１と全く同様である。
【０１４７】
図４に示すように、本変形例における第１の受電部１４は、上述の第１の実施形態における第１の定電圧回路５２及び第１の動作判別回路５６に代えて、第１の定電圧回路９２及び出力切り換え手段であり動作判別手段としての第１の動作判別回路９３を有している。
【０１４８】
第１の受電部１４の第１の定電圧回路９２には、充電可能な第１の２次電池９１が接続されている。第１の２次電池９１は、第１の受電部１４に内蔵された充電回路（特に図示せず）によって充電可能に構成されている。また、第１の動作判別回路９３は、第１の受電部１４の動作状態を判別している。
【０１４９】
第１の受電部１４に適正な電力が給電されている場合には、第１の定電圧回路９２は、上述の第１の実施形態の第１の定電圧回路５２と同様に動作する。これに対して、第１の受電部１４における接続が遮断され、第１の動作判別回路９３が出力の停止を検知すると第１の定電圧回路９２の出力を第１の２次電池９１に切り換える制御がなされる。第１の動作判別回路９３の他の動作は、上述の第１の実施形態における第１の動作判別回路５６と同様である。
【０１５０】
また、本変形例における第２の受電部３４は、上述の第１の実施形態の平滑回路６３に代えて、平滑回路１０２を有している。また、第２の受電部３４は、出力切り換え手段及び動作判別手段としての第２の動作判別回路１０３を備えて構成されている。
【０１５１】
第２の受電部３４の平滑回路１０２には、充電可能な第２の２次電池１０１が接続されている。第２の２次電池１０１は、第２の受電部３４に内蔵された充電回路（特に図示せず）により充電可能な蓄電部として構成されている。また、第２の動作判別回路１０３は、第２の定電圧回路６４の出力を監視し、第２の受電部３４の動作状態を判別している。
【０１５２】
第２の受電部３４に適正な電力が給電されている場合には、平滑回路１０２は、上述の第１の実施形態の平滑回路６３と同様に動作する。これに対して、第１の受電部１４または第２の受電部３４における接続が遮断され、第２の動作判別回路１０３が出力の停止を検知すると平滑回路１０２の出力を第２の２次電池１０１に切り換える制御がなされる。
【０１５３】
その他の構成は、上述の第１の実施形態と略同様である。
【０１５４】
以上の構成により、各給電部と受電部との接続が遮断されても、第１の２次電池９１及び第２の２次電池１０１からの電力が供給されるように切り換え制御がなされるので、一時的に内部の回路を駆動させ得ることができるようになっている。
【０１５５】
したがって、例えば内視鏡８の運搬のためにトロリー装置３を第１の給電部４から切り離しての移動中にも、トロリー装置３の乾燥機１３及びトレイ２に対して電力を供給することができるようになる。
【０１５６】
換言すれば、トロリー装置３を第１の給電部４から切り離すと、インバータ回路５３の出力を監視している第１の動作判別回路９３は遮断状態であることを判別する。そして、第１の動作判別回路９３は、第１の定電圧回路９２の出力を第１の２次電池９１に切り換える制御をおこなう。これにより、第１の２次電池９１の電力は、第１の定電圧回路９２，インバータ回路５３及び出力制御回路５５を介して乾燥機１３及びトレイ２の第２の給電部１５へと供給されることなる。さらに、第２の受電部３４は、第２の給電部１５からの電力を受けるので、殺菌灯３５を持続的に点灯させることができるようになる。
【０１５７】
また、トレイ２をトロリー装置３から取り外すと、第２の定電圧回路６４の出力を監視している第２の動作判別回路１０３は、遮断状態に変化したことを判別する。そして、第２の動作判別回路１０３は、平滑回路１０２の出力を第２の２次電池１０１に切り換える制御をおこなう。
【０１５８】
これにより、第２の２次電池１０１からの電力は、平滑回路１０２及び第２の定電圧回路６４を介してＬＥＤ駆動回路６５へと供給される。そして、ＬＥＤ駆動回路６５が殺菌灯３５を持続的に点灯させる。さらに、第２の２次電池１０１からの電力は、表示部３３及びデータ用制御回路７０などにも供給される。そして、表示部３３は医療器具の履歴情報を表示し続けることになる。
【０１５９】
このようにして、使用者がトロリー装置３からトレイ２を取り出してたとしても、取り出したトレイ２に収納されている内視鏡８がいつ洗滌消毒されたか等の履歴情報をいつでも確認することができるできる。したがって、洗滌消毒処理の履歴管理を確実におこなうことができる。
【０１６０】
なお、動作確認ＬＥＤ１７はトレイ２にも設けられている。そして、第２の動作判別回路１０３は、第１の動作判別回路９３と同様に適正な電力が給電されている場合に動作確認ＬＥＤ１７を点灯させる。
【０１６１】
以上説明したように本変形例によれば、上述の第１の実施形態と同様の効果を得ることができる。
【０１６２】
本変形例では、第１の受電部１４または第２の受電部３４が外部からの出力を受けていなくとも、第１の動作判別回路９３または第２の動作判別回路１０３が第１の２次電池９１または第２の２次電池１０１の出力に切り換える制御をおこなう。これによって、トロリー装置３及びトレイ２に対して所要の電力を常に供給することができる。したがって、トロリー装置３を第１の給電部４から切り離した状態としたとき、例えばトロリー装置３の移動中においても、トレイ２や乾燥機１３への電力供給をおこなうことができる。また、例えばトレイ２をトロリー装置３から取り外しての運搬中においても、トレイ２の殺菌灯３５や表示部３３への電力を確保できるため、光触媒材による抗菌および防汚などの機能が働いて、殺菌状態も常に維持でき、さらに履歴情報をも常に確認できる。
【０１６３】
運搬中の医療器具に関する履歴情報を、表示部３３に常に表示させることができるので、医療器具の種類や洗滌消毒の完了日時などの履歴情報をいつでも確認することができる。したがって、トロリー装置３から取り外された状態の複数のトレイ２が、例えば検査室内等に同時に存在する場合にも、各トレイ２の内部に収納された医療器具の管理を容易におこなうことができる。
【０１６４】
また、第２の動作判別回路１０３も、上述の第１の実施形態の第１の動作判別回路５６と同様に動作する。したがって、動作確認ＬＥＤ１７の点灯または消灯状態によって、使用者は第１の給電部４及び第２の給電部１５が、適正に電力を供給しているか否かを確認することができる。
【０１６５】
（第２の実施形態）
図５は、第２の実施形態のトロリーシステムの内部構成の主に電気的な構成を示すブロック構成図である。図６は表示部の構成を示す説明図である。
【０１６６】
本実施形態の構成は、図４を参照して説明した第１の実施形態の変形例に比して、保持容器（トレイ）の構成のみが異なる。よって、この相違点のみを説明し、上述の第１の実施形態の変形例と同様の構成については同じ符号を付してその説明を省略し、異なる構成についてのみ以下に説明する。
【０１６７】
本実施形態のトロリーシステム１Ｂにおけるトレイ２０２は、上述の第１の実施形態の変形例のトレイ２に対し、さらに比較手段であるメモリ／比較回路２７１と、時間演算手段である時間演算回路２７２と、告知手段である表示部２３３と、リセット手段であるリセットスイッチ２８０とを具備するものである。
【０１６８】
時間演算回路２７２は、発振器，カウンタ回路等を具備してなり、現在の時刻を計算及び積算し、メモリ／比較回路２７１へ出力するようになっている。
【０１６９】
メモリ／比較回路２７１は、記憶部としてのフラッシュメモリ，入力回路，出力回路及び演算回路を具備してなる制御回路である。メモリ／比較回路２７１は、フラッシュメモリに、予め入力される所定の時間情報である保管限界時間を記憶するようになっている。また、メモリ／比較回路２７１は、データ復調回路６９により復調された履歴情報をフラッシュメモリに記憶すると共に、該履歴情報を記憶した時間と時間演算回路２７２から入力される現在の時刻との比較を行なうことで、履歴情報を記憶した時間からの経過時間を演算するようになっている。そして、メモリ／比較回路２７１は、該経過時間と保管限界時間との比較を行ない、該比較の結果に基づいた再処理要否情報を表示部２３３へ出力するようになっている。具体的には、メモリ／比較回路２７１は、経過時間が保管限界時間以上であれば、再び洗滌消毒処理をする必要があると判断し、その結果を再処理要否情報として出力する。経過時間が保管限界時間よりも短ければ、再度の洗滌消毒処理をする必要は無いと判断し、再処理要否情報として出力する。また、履歴情報がフラッシュメモリに記憶されていない場合、メモリ／比較回路２７１は、洗滌消毒処理を行なう必要があると判断し、その結果を再処理要否情報として出力する。
【０１７０】
表示部２３３は、使用者が目視により判断可能な表示を行なう表示装置であり、例えば図６に示すように、液晶表示装置，セグメントＬＥＤ，電子ペーパ等の文字情報を表示することが可能な表示装置からなる。表示部２３３は、メモリ／比較回路２７１に記憶された履歴情報を表示すると共に、メモリ／比較回路２７１から出力された経過時間と保管限界時間との比較の結果に基づいた情報を表示するようになっている。本実施形態では、表示部２３３は、モノクロのドットマトリクス型の液晶表示装置を適用した例を示している。
【０１７１】
また、本実施形態では、履歴情報は、正常に洗滌消毒処理がなされたか否かの処理結果情報及び処理の日時情報であり、文字情報として表示部２３３に表示される。具体的には、終了年月日及び終了時刻として、処理の日時が表示される。一方、再処理要否情報は、例えば色やランプの点滅等の視認情報として表示部２３３に表示される。具体的には、メモリ／比較回路２７１により、再び洗滌消毒処理をする必要があると判断された場合には、液晶表示装置のバックライトを赤色とし、洗滌消毒処理をする必要は無いと判断された場合には、バックライトを緑色として再処理要否情報を、使用者が目視判断可能な状態で表示する。
【０１７２】
なお、再処理要否情報の表示は、警告等の点滅や、履歴情報を表示する文字の点滅、また文字色を変更することにより行なわれてもよい。また、再処理要否情報を使用者に告知する方法は、上述の使用者が目視判断可能な方法のみに限らず、例えば警告音を発するブザーのような発音手段を用いた方法であってもよいし、またこれらの組み合わせであってもよい。
【０１７３】
リセットスイッチ２８０は、メモリ／比較回路２７１に電気的に接続されており、使用者がリセットスイッチ２８０を操作することで、メモリ／比較回路２７１のフラッシュメモリに記憶された履歴情報を消去（初期化）することができるようになっている。本実施形態では、図６に示すように、リセットスイッチ２８０は、表示部２３３に配設されている。なお、リセットスイッチ２８０は、トレイ２０２に配設されない構成であってもよい。
【０１７４】
その他の構成は、上述の第１の実施形態の変形例と略同様である。
【０１７５】
このように構成される本実施形態のトロリーシステム１Ｂにおいて、医療器具として内視鏡を使用する場合の作用を以下に説明する。
【０１７６】
内祝鏡検査が終了すると、内祝鏡はトレイ２０２に収容され、洗滌消毒装置８０の洗滌槽に設置される。次に洗滌消毒装置８０により、内視鏡に対し洗滌消毒等の一連の工程が実施される。該工程が終了すると、その時の履歴情報（終了年月日及び終了時刻等）が、洗滌消毒装置８０から無線送信される。無線送信された履歴情報は、受信コイル６７を介してデータ受信回路６８により受信され、データ復調回路６９により復調されて、メモリ／比較回路２７１へ入力される。
【０１７７】
メモリ／比較回路２７１は、履歴情報をフラッシュメモリに記憶し、履歴情報を表示部２３３へ出力する。また、メモリ／比較回路２７１は、履歴情報を記憶した時刻と、時間演算回路２７２から入力される現在の時刻との差分から、経過時間を演算する。メモリ／比較回路２７１は、該経過時間と、予め記憶された保管限界時間との比較を行ない、該比較の結果に基づいて当該内視鏡に対して洗滌消毒処理が必要か否かを判断する。
【０１７８】
ここで、洗滌消毒処理が必要であると判断された場合、表示部２３３は、履歴情報を文字情報として表示すると共に、バックライトを赤色で点灯し、内視鏡に対して洗滌消毒処理が必要であることを、使用者に対して告知する。
【０１７９】
一方、洗滌消毒処理は必要無いと判断された場合、表示部２３３は、履歴情報を文字情報として表示すると共に、バックライトを緑色で点灯し、内視鏡は洗滌消毒処理済であり使用可能な状態であることを、使用者に対して告知する。
【０１８０】
例えば、保管限界時間が２４時間としてフラッシュメモリに記憶されている場合、洗滌消毒処理後の経過時間が２４時間より短い内視鏡を収容しているトレイ２０２の表示部２３３は緑色のバックライトが点灯し、洗滌消毒処理後の経過時間が２４時間以上である内視鏡を収容しているトレイ２０２の表示部２３３は赤色のバックライトが点灯する。
【０１８１】
また、トロリーシステム１Ｂに洗滌消毒処理後の内視鏡を、例えば、運搬中に不潔物に接触させてしまったり、保管している段階で不潔な状態に曝してしまった場合等、使用者が内視鏡の洗滌消毒処理が再度必要と判断した場合には、使用者はリセットスイッチ２８０を操作する。これにより、履歴情報が消去されるため、表示部２３３は、履歴情報を表示せず、バックライトを赤色で点灯し、内視鏡に対して洗滌消毒処理が必要であることを表示する。
【０１８２】
また、内視鏡を使用した検査が終了した時点で、使用者は、リセットスイッチ２８０を操作する。これにより、表示部２３３は、バックライトを赤色で点灯し、内視鏡に対して洗滌消毒処理が必要であることを表示する。
【０１８３】
このようにして、使用者は、トレイ２０２に収容されている内視鏡について、該内視鏡を次の検査に使用する場面で、再度洗滌消毒処理が必要か否かを容易に判断することが可能となる。したがって、効率的な内視鏡検査及び、内視鏡の洗滌消毒処理を実施することができる。更に検査終了後も適切に内祝鏡を処理することができる。
【０１８４】
次に、本実施形態の表示部の変形例について説明する。
【０１８５】
図７及び図８は、第２の実施形態の表示部の変形例を示す説明図である。上述の第２の実施形態の表示部２３３は、履歴情報と再処理要否情報とを同時に表示する形態のものであるが、本変形例の表示部は、再処理要否情報のみを表示するものである。
【０１８６】
図７に示すように、第１変形例は、表示部２３４に、印刷又は刻印により「洗滌消毒済み」及び「洗滌消毒必要」の文字表示２３４Ｌを配設し、それぞれの近傍に青色ＬＥＤ２３４Ｂ及び赤色ＬＥＤ２３４Ｒを配設する構成とする。本変形例では、メモリ／比較回路２７１により、内視鏡が再び洗滌消毒処理をする必要があると判断された場合には、赤色ＬＥＤ２３４Ｒが点灯され、洗滌消毒処理をする必要は無いと判断された場合には、青色ＬＥＤ２３４Ｂが点灯されるものである。
【０１８７】
このような構成によれば、上述の第２の実施形態と同様の効果を得ることができると共に、表示部を明確な表示で構成することができるため、使用者は、素早くかつ確実に再度洗滌消毒処理が必要か否かの判断を行なうことができる。また、表示部を簡易な電気回路で構成することができ、安価に本発明を実施することが可能となる。
【０１８８】
また、図８に示すように、第２変形例は、表示部２３５を機械的な構成で実現している。第２変形例では、表示部２３５は、印刷又は刻印により形成された「洗滌消毒済み」及び「洗滌消毒必要」の文字表示２３５Ｌと、２つの文字表示２３５Ｌのそれぞれの近傍に配設された表示窓２３５Ｂ及び２３４Ｒと、表示切替スイッチ２３５Ｓとを具備して構成されている。
【０１８９】
表示切替スイッチ２３５Ｓは二位置型のスライドスイッチであり、該表示切替スイッチ２３５Ｓを一方の位置に設定すると表示窓２３５Ｂ内に青色の表示が現れ、他方の位置に設定すると表示窓２３５Ｒ内に赤色の表示が現れるようになっている。
【０１９０】
本変形例では、使用者が手動で表示切替スイッチ２３５Ｓを操作するものであり、使用者は、内視鏡に対して洗滌消毒処理をする必要があると判断した場合には、表示切替スイッチ２３５Ｓを一方の位置に設定して表示窓２３５Ｂ内に青色を表示させ、洗滌消毒処理をする必要は無いと判断した場合には、表示切替スイッチ２３５Ｓを他方の位置に設定して表示窓２３５Ｒ内に赤色を表示させる。この構成により、表示部２３５は、再処理要否情報を視認可能に表示することができるようになっている。
【０１９１】
また、図示しないが洗滌消毒装置には、表示部２３５の表示切替スイッチ２３５Ｓを自動的に操作するソレノイド等の作動機構が配設されており、該作動機構により内視鏡に対し洗滌消毒工程を実施した後に、表示切替スイッチ２３５Ｓは一方側に自動的に設定され、表示窓２３５Ｂ内に青色が表示される。
【０１９２】
本変形例の告知手段である表示部２３５では、表示切替スイッチ２３５Ｓの設定位置によって再処理要否情報が記憶され、表示窓２３５Ｂ及び２３５Ｒによって告知情報としての再処理要否情報が使用者に対し告知されるのである。また、表示切替スイッチ２３５Ｓは、表示部２３５に表示された再処理要否情報を初期化するためのリセット手段を構成するものである。
【０１９３】
このような構成によれば、使用者はトレイに収容されている内視鏡について、該内視鏡を次の検査に使用する場面で、再度洗滌消毒処理が必要か否かを容易に判断することが可能となる。
【０１９４】
また、表示部２３５には電気的な構成を使用していないため、配線等の処理が不要となり、洗滌、消毒等の様々な環境に曝されるトレイにおいて、再処理要否情報の表示の高い信頼性を確保することが可能となる。
【０１９５】
図９は、本発明を内視鏡本体に適用した場合のブロック図である。本変形例の内視鏡２０８の基本的な構成要件は上記第２の実施形態と同様であり、受信手段としての受信コイル６７及びデータ受信回路６８と、データ復調回路６９と、比較手段であるメモリ／比較回路２７１と、時間演算手段である時間演算回路２７２と、告知手段である表示部２３３と、リセット手段であるリセットスイッチ２８０とを具備するものである。
【０１９６】
このように構成される本変形例の作用及び効果は、上述の第２の実施形態と同様である。
【０１９７】
ところで、上述の各実施形態の医療器具保管装置（トロリーシステム）における保持容器（トレイ）の別の構成例としては、例えば内視鏡専用のトレイ３０２（図１０参照）のような形態も考えられる。
【０１９８】
図１０に示すように、トレイ３０２は、内視鏡３０８の細長形状の挿入部及びこの挿入部の基端部に連設される操作部を効率良く収納し得るような形状に形成されている。
【０１９９】
そして、このトレイ３０２には、特に図示していないが、上述の各実施形態におけるトレイ２が具備する構成部材、例えば受信コイル６７，データ受信回路６８，データ復調回路６９，メモリ回路７１またはメモリ比較回路等の記憶手段や制御手段，比較手段に加えて表示手段や発音手段等の告知手段（図１０においては表示部３１０を例示している）等に相当する各種の構成部材が具備されている。
【０２００】
このような構成からなるトレイ３０２は、上述の各実施形態におけるトレイ２と同様の作用をし、また同様の効果を得ることができる。即ち、内視鏡３０８の履歴情報（例えば洗滌消毒処理がなされたか否かの処理結果情報や洗滌消毒処理の日時情報（処理終了年月日時刻や経過時間等）や当該処理対象となった内視鏡３０８のＩＤ情報等）がトレイ３０２の表示部３１０に表示されることで、当該トレイ３０２に収納されている内視鏡３０８の管理を容易とすることができる。
【０２０１】
また、上述の各実施形態においてトレイ２等に具備される各種の構成部材のうち例えば受信コイル６７，データ受信回路６８，データ復調回路６９，記憶手段や制御手段，告知手段等に相当する構成部材を、保持容器（トレイ）ではなく、この保持容器（トレイ）によって保持されるべき医療器具、例えば内視鏡自体に設けて構成してもよい。
【０２０２】
この場合には、例えば内視鏡３０８Ａの操作部等の内部に上記各種の構成部材等を配設すると共に、図１１に示すように、当該内視鏡の操作部の外装面上に告知手段である表示部３１１を設けるように構成する。
【０２０３】
このような構成の内視鏡３０８Ａにおいては、上述の医療器具保管装置に対応した保持容器（トレイ）でなくとも、内視鏡３０８Ａ自身が自己の履歴情報を受信し記憶し参照することができるようになるほかは、上述の各実施形態と同様の効果を得ることができる。
【０２０４】
さらに、これらの例とは別に、例えば図１２に示すように、内視鏡に対して着脱自在に構成され、履歴情報等の表示（告知）を行ない得る表示部３１２を有する外付け型のＩＤタグ３００を別に用意し、このＩＤタグ３００が対応する医療器具の履歴情報を受信し記憶し参照することができるように構成しても、上記各実施形態等と同様の効果を得ることができる。
【０２０５】
また、この場合には、当該ＩＤタグ３００を内視鏡に対して着脱して使用する事ができるので、取扱中の内視鏡（医療器具）に対してその都度、当該ＩＤタグ３００を取り着けるのみで内視鏡の保管管理を効率的に行なうことができる。
【０２０６】
なお、上述の図１０，図１１，図１２にて説明した構成例において、例えば表示部３１０，３１１，３１２の近傍に、比較手段に記憶された情報もしくは告知手段（表示部）による告知情報を初期化するリセット手段を設けて構成してもよい。その場合には、上述の第２の実施形態においてリセット手段を設けて構成した場合と同様の効果を得ることができる。
【０２０７】
なお、本発明は上述した実施形態に限定されるものではなく、発明の主旨を逸脱しない範囲内において種々の変形や応用が可能であることは勿論である。
【図面の簡単な説明】
【０２０８】
【図１】本発明の第１の実施形態の医療器具保管装置（トロリーシステム）の全体構成を示す外観斜視図。
【図２】図１の医療器具保管装置（トロリーシステム）の内部構成の主に電気的な構成を示すブロック構成図。
【図３】図１の医療器具保管装置（トロリーシステム）の作用を説明する図。
【図４】本発明の第１の実施形態の医療器具保管装置（トロリーシステム）の変形例を示すブロック構成図。
【図５】本発明の第２の実施の形態の医療器具保管装置（トロリーシステム）の内部構成の主に電気的な構成を示すブロック構成図。
【図６】図５のトロリーシステムにおける表示部の構成を示す説明図。
【図７】本発明の第２の実施の形態の表示部の第１変形例を示す説明図。
【図８】本発明の第２の実施の形態の表示部の第２変形例を示す説明図。
【図９】本発明の第２の実施の形態の変形例の内視鏡の構成を示すブロック構成図。
【図１０】本発明の第２の実施形態の変形例の保持容器（トレイ）を示す斜視図。
【図１１】本発明の第２の実施形態の別の変形例であって、保持容器（トレイ）に収納される内視鏡の一形態を示す斜視図。
【図１２】本発明の全ての実施形態又はその変形例において適用し得るＩＤタグを示す斜視図。
【符号の説明】
【０２０９】
１……医療器具保管装置（トロリーシステム）
２……トレイ
３……トロリー装置
４……第１の給電部
８，３０８，３０８Ａ……内視鏡
１０……トロリー本体
１０ａ……開口部
１０ｂ……収納空間
１２……キャスター
１４……第１の受電部
１５……第２の給電部
１６……収納ケース
１８……トレイ載置部
１９……ラッピング補助機構
２０……ラッピング収納部材
２０ａ……ラッピング開口部
２１……規制部材
２２……ラッピングペーパー
２５……壁面
３１……ケース本体
３２……収納部
３２ａ……開口部
３３，２３３，３１０，３１１，３１２……表示部
３４……第２の受電部
３５……発光灯
３７……光触媒部
４２……第１の１次コイル
５０……第１の２次コイル
５８……第２の１次コイル
６１……第２の２次コイル
８０……洗滌消毒装置
９１……第１の２次電池
１０１……第２の２次電池
２７１……メモリ／比較回路
２７２……時間演算回路
２８０……リセットスイッチ
３０２……内視鏡専用のトレイ
【図１】
2007050240.tif 000003
【図２】
2007050240.tif 000004
【図３】
2007050240.tif 000005
【図４】
2007050240.tif 000006
【図５】
2007050240.tif 000007
【図６】
2007050240.tif 000008
【図７】
2007050240.tif 000009
【図８】
2007050240.tif 000010
【図９】
2007050240.tif 000011
【図１０】
2007050240.tif 000012
【図１１】
2007050240.tif 000013
【図１２】
2007050240.tif 000014